(57)【特許請求の範囲】
【請求項１】
透孔の形成された被取付部材に対して、取付部材を取り付ける為の雌雄２部材から成るクリップであって、
前記雌部材は、透孔周縁を覆うフランジ部と、前記フランジ部から垂下し、被取付部材に形成された透孔に挿入される断面略長円状の中空脚部とを備え、
前記雄部材は、前記雌部材に挿入した際、前記フランジ部と当接する雄フランジ部と、前記雄フランジ部から垂下し、前記雌部材の前記中空脚部に収納される脚部とを備え、
前記中空脚部内周の長辺部には、前記中空脚部の軸方向に延設されて内側に突出した複数の突条が立設されると共に、前記突条より奥端には係合段部が形成され、前記雄部材の脚部外周には前記突条と係合可能な突起と、前記突起より先端近傍には係合凹部が形成され、前記中空脚部へ前記脚部を挿入した際、前記複数の突条の中から選択した突条と前記突起が係合すると共に、前記係合段部と係合凹部が係合して前記雌部材に前記雌部材を固定することを特徴とするクリップ。
【請求項２】
前記中空脚部に設けられた突条と、前記脚部に設けられた突起は、少なくとも何れか一方が前記脚部挿入方向に複数段設けられており、前記中空脚部に前記脚部を仮係合し、前記係合段部と係合凹部が未係合の状態において、前記突条と突起は一部が係合した状態にあることを特徴とする請求項１に記載のクリップ。
【請求項３】
前記中空脚部と前記脚部とが仮係合状態において、前記複数段の突起或いは突条のうち、挿入先端側が、係合時より弱い係合状態であることを特徴とする請求項１または２に記載のクリップ。
【請求項４】
前記雄部材は、前記雄フランジ部の上部に取付部材を保持する為の頭部フランジを備えたことを特徴とする請求項１〜３の何れか１に記載のクリップ。
【請求項５】
前記雌部材は底部を備えると共に、上端開口部が前記雄部材の雄フランジ部によって密閉されることを特徴とする請求項１〜４の何れか１に記載のクリップ。
【請求項６】
前記雄部材の脚部に形成された突起は、脚部の軸線方向に沿って２段形成されたことを特徴とする請求項１〜５の何れか１に記載のクリップ。
【発明の詳細な説明】
【技術分野】
【０００１】
この発明は、例えば車両等のドアパネルとドアフィニッシャーとを締結するために使用することのできるクリップ、特に所定方向に位置調整しながら締結することのできるクリップに関するものである。
【背景技術】
【０００２】
従来、所定方向に位置調整しながら締結することのできるクリップが種々提案されている。例えば、特許文献１に示すように、被取付部材に形成された取付孔に挿入固定されるグロメット（雌部材）と、このグロメットに抜け止め保持されると共に、取付部材に係合固定されるピン（雄部材）の２物品から構成され、グロメットの長穴内で位置調整することができる（特許文献１）。
また、特許文献２に示す例では、モール部材の幅方向にラチェット手段で位置調整可能なモールクリップが開示されている（特許文献２）。
【先行技術文献】
【特許文献】
【０００３】
【特許文献１】特開２０１１−５２７４３号公報
【特許文献２】登録実用新案第２５５６６０９号公報
【発明の概要】
【発明が解決しようとする課題】
【０００４】
しかし、従来の特許文献１の場合では、グロメットの長穴内で位置調整することができるが、調整方向（剪断方向）の保持力を確保する手段がなく、剪断方向の保持力に問題があった。また、仮止めすることもできなかった。
また、特許文献２に示すものでは、鋸歯状のラチェット機構で位置調整が可能であるが、逆止爪であったり、形状的に反対方向には戻すことが出来ない構成であった。また、部品点数が多いものであった。
【０００５】
この発明は、上記したような従来の不都合を解消する為になされたもので、所定方向に位置調整しながら締結することのできるとともに、剪断方向の保持力強化を図ることのできるクリップを提供するものである。また、仮止めした状態から本止めすることができ、作業性の向上を図ることのできるクリップを提供するものである。
【課題を解決するための手段】
【０００６】
この発明は、以下のような内容である。
（１）上記目的を達成するため、本発明は透孔の形成された被取付部材に対して、取付部材を取り付ける為の雌雄２部材から成るクリップであって、前記雌部材は、透孔周縁を覆うフランジ部と、前記フランジ部から垂下し、被取付部材に形成された透孔に挿入される断面略長円状の中空脚部とを備え、前記雄部材は、前記雌部材に挿入した際、前記フランジ部と当接する雄フランジ部と、前記雄フランジ部から垂下し、前記雌部材の前記中空脚部に収納される脚部とを備え、前記中空脚部内周の長辺部には、長辺に沿って複数の突条が立設されると共に、前記突条より奥端には係合段部が形成され、前記雄部材の脚部外周には前記突条と係合可能な突起と、前記突起より先端近傍には係合凹部が形成され、前記中空脚部へ前記脚部を挿入した際、前記複数の突条の中から選択した突条と前記突起が係合すると共に、前記係合段部と係合凹部が係合して前記雌部材に前記雌部材を固定することを特徴とする。
（２）また、前記中空脚部に設けられた突条と、前記脚部に設けられた突起は、少なくとも何れか一方が前記脚部挿入方向に複数段設けられており、前記中空脚部に前記脚部を仮係合し、前記係合段部と係合凹部が未係合の状態において、前記突条と突起は一部が係合した状態にあることを特徴とする。
（３）前記中空脚部と前記脚部とが仮係合状態において、前記複数段の突起、或いは突条の先端部は、係合時より弱い係合状態であることを特徴とする。
（４）前記雄部材は、前記雄フランジ部の上部に取付部材を保持する為の頭部フランジを備えたことを特徴とする。
（５）前記雌部材は底部を備えると共に、上端開口部が前記雄部材の雄フランジ部によって密閉されることを特徴とする。
（６）前記中空脚部内周に形成された突条は、中空脚部の軸線方向に延設されると共に、前記雄部材の脚部に形成された突起は、脚部の軸線方向に沿って２段形成されたことを特徴とする。
【発明の効果】
【０００７】
この発明によれば、透孔の形成された被取付部材に対して、取付部材を取り付ける為の雌雄２部材から成るクリップであって、前記雌部材は、透孔周縁を覆うフランジ部と、前記フランジ部から垂下し、被取付部材に形成された透孔に挿入される断面略長円状の中空脚部とを備え、前記雄部材は、前記雌部材に挿入した際、前記フランジ部と当接する雄フランジ部と、前記雄フランジ部から垂下し、前記雌部材の前記中空脚部に収納される脚部とを備え、前記中空脚部内周の長辺部には、長辺に沿って複数の突条が立設されると共に、前記突条より奥端には係合段部が形成され、前記雄部材の脚部外周には前記突条と係合可能な突起と、前記突起より先端近傍には係合凹部が形成され、前記中空脚部へ前記脚部を挿入した際、前記複数の突条の中から選択した突条と前記突起が係合すると共に、前記係合段部と係合凹部が係合して前記雌部材に前記雌部材を固定するので、仮止め状態では、雄部材を中空脚部の長辺に沿って移動調整できると共に、本止め状態では、前記突条、突起、係合段部、係合凹部によって強固に固定できる。
また、断面略長円状の中空脚部であっても、剪断方向の保持力を大きくすることができる。更に、長辺に沿って複数の突条を設けたので広い範囲での位置調整が可能である。
また、前記中空脚部に設けられた突条と、前記脚部に設けられた突起は、少なくとも何れか一方が前記脚部挿入方向に複数段設けられており、前記中空脚部に前記脚部を仮係合し、前記係合段部と係合凹部が未係合の状態において、前記突条と突起は一部が係合した状態にあるので、仮止め状態で位置調整が可能である。また、仮止め状態から本止め状態への移行できるので、位置ズレした状態で取り付けてしまう虞がない。
また、前記中空脚部と前記脚部とが仮係合状態において、前記複数段の突起、或いは突条の先端部は、係合時より弱い係合状態であるので、弱い係止力で仮止めを行えると共に、本止め状態では強力に固定することができる。
また、前記雄部材は、前記雄フランジ部の上部に取付部材を保持する為の頭部フランジを備えたので、頭部フランジに取付部材を容易に係止できる。
前記雌部材は底部を備えると共に、上端開口部が前記雄部材の雄フランジ部によって密閉されるので、クリップの水密性及びシール性を向上することができる。
また、前記中空脚部内周に形成された突条は、中空脚部の軸線方向に延設されると共に、前記雄部材の脚部に形成された突起は、脚部の軸線方向に沿って２段形成されたので、仮止め状態では、雄部材を中空脚部の長辺に沿って移動調整できると共に、本止め状態では、突条、突起、係合段部、係合凹部によって強固に固定できる。
【図面の簡単な説明】
【０００８】
【図１】図１は、本発明の一実施形態を示すクリップの一部を切欠いた分解図である。
【図２】図２は、同クリップの雄部材を示す側面図である。
【図３】図３は、同雄部材の正面図である。
【図４】図４は、同雄部材のＡ−Ａ線縦断面図である。
【図５】図５は、同雄部材の平面図である。
【図６】図６は、同雄部材の底面図である。
【図７】図７は、同雄部材のＢ−Ｂ線縦断面図である。
【図８】図８は、同雄部材のＣ−Ｃ線縦断面図である。
【図９】図９は、図６におけるＤ部拡大図である。
【図１０】図１０は、雌部材の平面図である。
【図１１】図１１は、同雌部材の一部を切欠いた正面図である。
【図１２】図１２は、図１０におけるＥ部拡大図である。
【図１３】図１３は、同雌部材の一部を切欠いた側面図である。
【図１４】図１４は、本発明におけるクリップの係合状態を示す説明図である。
【図１５】図１５は、本発明におけるクリップの係合状態を示す説明図である。
【発明を実施するための最良の形態】
【０００９】
本発明のクリップは、所定方向に位置調整しながら締結できると共に、調整方向の保持力の向上を実現した。また、仮止めした状態から本止めに移行することができ、作業性の向上を実現した。
【実施例１】
【００１０】
以下、一実施の形態を示す図面に基づいて本発明を詳細に説明する。図１は本発明の一実施形態を示すクリップの一部を切欠いた分解図、図２は本発明のクリップの雄部材を示す側面図、図３は雄部材の正面図、図４は雄部材のＡ−Ａ線縦断面図である。ここで、クリップ１０は、透孔１１の形成された被取付部材１２に対して、取付部材を取り付ける為の雌雄２部材から成るものであって、雌部材１３は、透孔１１の周縁を覆うフランジ部１４と、フランジ部１４から垂下し、被取付部材１２に形成された透孔１１に挿入される断面略長円状の中空脚部１５とを備え、雄部材１６は、雌部材１３に挿入した際、前記フランジ部１４と当接する雄フランジ部１７と、雄フランジ部１７から垂下し、雌部材１３の中空脚部１５に収納される脚部１８とを備え、中空脚部内周の長辺部には、長辺１９に沿って複数の突条２０が立設されると共に、突条２０より奥端には係合段部２１が形成され、雄部材１６の脚部外周には突条２０と係合可能な突起２２と、突起２２より先端近傍には係合凹部２３が形成されている。
【００１１】
雄部材１６は、雌部材１３のフランジ部１４と当接し、中空脚部１５の開口部１５ａを覆う雄フランジ部１７と、雄フランジ部１７から垂下し、雌部材１３の中空脚部１５に収納される脚部１８とを備えている。また、雄部材１６の脚部外周には中空脚部１５の内壁面に形成された複数の突条２０と係合可能な突起２２と、突起２２より先端近傍には係合凹部２３が形成されている。脚部１８の先端は、紡錘形をしており、先端から少し離れた位置に中空脚部１５の係合段部２１と係合する係合凹部２３が設けられている。また、雄フランジ部１７は、雄部材１６が雌部材１３の長円形の開口部１５ａの範囲内で移動しても、開口部１５ａを覆うことのできる径を有している。
【００１２】
突起２２は、脚部１８の長手方向に沿って２段に形成されており、先端に近い１段目に突起２２ａが雄フランジ部１７に近い二段目に突起２２ｂが形成されている。本実施の形態では、突起２２ａは１本で、突起２２ｂは突起２２ａを挟むように２本配設されている。また、突起２２ａと突起２２ｂは、軸線方向に重なる位置になく、相互に突条２０の幅と略等しい間隔を有している。したがって、図１２に示すように突起２２ｂ−１と突起２２ａの間に突条２０が１本入り、突起２２ａと突起２２ｂ−２の間に突条２０が１本入り、確実に係合する。
【００１３】
図７は、雄部材１６のＢ−Ｂ線縦断面図、図８は、雄部材１６のＣ−Ｃ線縦断面図である。このように雄部材１６の脚部１８は、断面が十字状に形成されており、剛性と軽量化を達成している。
【００１４】
更に、雄部材１６は、雄フランジ部１７の上部に取付部材を保持する為の頭部フランジ２４を備えている。頭部フランジ２４は、平面視で略長方形をしており、下面に滑り止めの突条２４ａを備えている。
【００１５】
図１０は、雌部材１３の平面図、図１１は雌部材１３の一部を切欠いた正面図、図１２は、図１０におけるＥ部拡大図、図１３は雌部材１３の一部を切欠いた側面図である。ここで、雌部材１３は、被取付部材１２に形成された透孔１１に挿入された際、透孔の周縁を覆うフランジ部１４と、このフランジ部１４から垂下され、前記透孔１１に挿入される断面略長円状の中空脚部１５とを備えている。
【００１６】
中空脚部１５は、外周には係合突起２５が左右一対形成されると共に、大径部１５ｂと小径部１５ｃとから形成されている。大径部１５ｂの内壁面には、縦方向に延びる複数の突条２０が形成されている。また、小径部１５ｃの内壁面には、脚部１８の係合凹部２３と係合する係合段部２１が形成されている。図１０から明らかなように長円の直線辺（長辺１９）の内壁面に突条２０が形成されており、雄部材１６に形成された突起２２は、複数の突条の中から任意の突条と係合することができる。ここで、開口部１５ａは、２つの長さの等しい平行な長辺１９と、２つの半円１９ａを組み合わせた形状である。
【００１７】
このように構成されたクリップ１０の動作を図１、図１２、図１４、図１５に従って説明する。先ず、被取付部材１２の透孔１１に雌部材１３の中空脚部１５を挿入する。すると、フランジ部１４及び係合突起２５によって雌部材１３が被取付部材１２に固定される。次に、雄部材１６の頭部フランジ２４に図外の取付部材を取り付けた後、図１２で示す左右方向（矢印方向）に位置調整して、一段目の突起２２ａが突条２０の上端と係合する仮止めする。この状態では、係合力が弱いので矢印方向に更に調整することもできる。位置が決まったら、雄部材１６を更にＦ１方向に押し込んで本止めを行う。本止め状態では、係合段部２１と係合凹部２３が係合するので、雌部材１３は、Ｆ２方向に抜ける虞はない。更に、雌部材１３は、一段目の突起２２ａ、二段目の２２ｂ−１、２２ｂ−２と突条２０とが完全に係合するので、矢印Ｆ３方向（剪断方向）に対しても強固に固定される。
【００１８】
本発明では、部品点数を増すことなく、所定方向への位置調整しながら締結できるとともに、剪断方向の保持力強化を図ることができる。また、仮止めした状態から本止めに移行することができ、作業性の向上を図ることのできる。
【００１９】
なお、以上の実施例では、突起２２を２段に構成する場合について説明したが、これに限ることなく、突条２０を２段に構成してもよい。また、突起２２を２段に限ることなく、３段以上に構成してもよい。更に、突起２２を移動方向に３個並設する場合について説明したが、これに限ることなく、４個以上であってもよい。また、本発明のクリップは、本固定前に位置調整の必要な種々の分野において広く利用できる。
【符号の説明】
【００２０】
１０    クリップ
１１    透孔
１２    被取付部材
１３    雌部材
１４    フランジ部  
１５    中空脚部
１５ａ  開口部
１５ｂ  大径部
１５ｃ  小径部
１６    雄部材
１７    雄フランジ部
１８    脚部
１９    長辺
１９ａ  半円
２０    突条
２１    係合段部
２２    突起
２３    係合凹部
２４    頭部フランジ
２４ａ  突条
２５    係合突起
【図１】
0005888675.tif 000002
【図２】
0005888675.tif 000003
【図３】
0005888675.tif 000004
【図４】
0005888675.tif 000005
【図５】
0005888675.tif 000006
【図６】
0005888675.tif 000007
【図７】
0005888675.tif 000008
【図８】
0005888675.tif 000009
【図９】
0005888675.tif 000010
【図１０】
0005888675.tif 000011
【図１１】
0005888675.tif 000012
【図１２】
0005888675.tif 000013
【図１３】
0005888675.tif 000014
【図１４】
0005888675.tif 000015
【図１５】
0005888675.tif 000016